(57)【特許請求の範囲】
【請求項１】
バー状の操向ハンドル（１５）に回動可能に嵌装されるグリップパイプ（１６）の一端に巻き掛け部（１７）が設けられ、その巻き掛け部（１７）を覆うハウジング（２４，６４）が前記操向ハンドル（１５）に固定され、前記巻き掛け部（１７）と被操作部間を連動させる一対の操作ケーブル（１９）が前記操向ハンドル（１５）の長手方向に指向して配索され、その各操作ケーブル（１９）は、前記ハウジング（２４，６４）に一端部が支持されるアウターケーブル（２０）と、そのアウターケーブル（２０）に移動可能に挿通されるインナーケーブル（２１）とから構成され、その一対の操作ケーブル（１９）のインナーケーブル（２１）の一端部が、前記アウターケーブル（２０）の一端部から突出して前記巻き掛け部（１７）の外周にその周方向で互いに反対側から巻き掛けられる小型車両用グリップ操作装置において、
前記ハウジング（２４，６４）が、前記操向ハンドル（１５）を間に挟んで結合される第１ハウジング半体（２５，６５）および第２ハウジング半体（２６，６６）から構成され、
前記第１ハウジング半体（２５，６５）が、前記操向ハンドル（１５）の中心軸線に沿う方向で分離、結合可能な第１ハウジング構成部材（２７，６７）および第２ハウジング構成部材（２８，６８）から構成されて、その両ハウジング構成部材（２７，２８；６７，６８）の合わせ面間に、その合わせ面を横切る方向に並列させた前記一対の操作ケーブル（１９）が介装され、
前記第１ハウジング半体（２５，６５）が、前記一対の操作ケーブル（１９）のアウターケーブル（２０）の各一端部を前記両ハウジング構成部材（２７，２８；６７，６８）間に挟持するケーブル挟持部（２５ａ，６５ａ）と、前記一対の操作ケーブル（１９）を前記操向ハンドル（１５）の長手方向に指向させるべく、前記合わせ面を前記操向ハンドル（１５）と交差する方向から前記操向ハンドル（１５）の軸線に沿う方向に湾曲させるようにして、前記ケーブル挟持部（２５ａ，６５ａ）から外側方に延出するケーブルガイド部（２５ｂ，６５ｂ）とを有しており、
前記ケーブル挟持部（２５ａ，６５ａ）には、前記一対の操作ケーブル（１９）の中間で前記第１，第２ハウジング構成部材（２７，２８；６７，６８）を相互に締結して結合する結合部（５２）が配設されるとともに、前記ケーブルガイド部（２５ｂ，６５ｂ）には、前記ケーブル挟持部（２５ａ，６５ａ）とは反対側の端部において、前記一対の操作ケーブル（１９）の中間で前記第１，第２ハウジング構成部材（２７，２８；６７，６８）を相互に係合して結合する結合部（５７）が配設されることを特徴とする小型車両用グリップ操作装置。
【請求項２】
前記ケーブルガイド部（２５ｂ，６５ｂ）の中間部に、前記第１，第２ハウジング構成部材（２７，２８；６７，６８）を相互に凹凸嵌合せしめる嵌合部（６０）が配設されることを特徴とする請求項１記載の小型車両用グリップ操作装置。
【請求項３】
第１ハウジング半体（２５，６５）を構成する前記第１，第２ハウジング構成部材（２７，２８；６７，６８）の一方（２７，６７）が、前記操向ハンドル（１５）を挟む少なくとも２箇所で第２ハウジング半体（２６，６６）に結合されることを特徴とする請求項１または２記載の小型車両用グリップ操作装置。
【請求項４】
前記第１，第２ハウジング構成部材（２７，２８；６７，６８）の一方（２７，６７）が、前記操向ハンドル（１５）の一側で第２ハウジング半体（２６，６６）に締結されるとともに前記操向ハンドル（１５）の他側で第２ハウジング半体（２６，６６）に係合されることを特徴とする請求項３記載の小型車両用グリップ操作装置。
【請求項５】
前記第１，第２ハウジング構成部材（２７，２８；６７，６８）のうち第２ハウジング半体（２６，６６）に結合される側のハウジング構成部材（２７，６７）に、前記操向ハンドル（１５）に対する位置決めを行うための位置決め部（３５）が設けられることを特徴とする請求項３または４記載の小型車両用グリップ操作装置。
【発明の詳細な説明】
【技術分野】
【０００１】
本発明は、バー状の操向ハンドルに回動可能に嵌装されるグリップパイプの一端に巻き掛け部が設けられ、その巻き掛け部を覆うハウジングが前記操向ハンドルに固定され、前記巻き掛け部と被操作部間を連動させる一対の操作ケーブルが前記操向ハンドルの長手方向に指向して配索され、その各操作ケーブルは、前記ハウジングに一端部が支持されるアウターケーブルと、そのアウターケーブルに移動可能に挿通されるインナーケーブルとから構成され、その一対の操作ケーブルのインナーケーブルの一端部が、前記アウターケーブルの一端部から突出して前記巻き掛け部の外周にその周方向で互いに反対側から巻き掛けられる小型車両用グリップ操作装置に関する。
【背景技術】
【０００２】
バー状の操向ハンドルに固定されるハウジングから操向ハンドルの長手方向に指向するようにスロットルケーブルを配索するために、スロットルケーブルの端部に取付けられたラウンドジョイントをハウジングに螺合して組み付けるようにしたものが、特許文献１で知られている。
【先行技術文献】
【特許文献】
【０００３】
【特許文献１】特開２００３−１９３８６９号公報
【発明の概要】
【発明が解決しようとする課題】
【０００４】
ところが、上記特許文献１で開示されるものでは、ラウンドジョイントをハウジングに螺合して組み付ける際に時間がかかってしまい、組み付け工数の短縮を図ることが望まれている。
【０００５】
本発明は、かかる事情に鑑みてなされたものであり、バー状の操向ハンドルに固定されるハウジングから操向ハンドルの長手方向に指向するように操作ケーブルを配索するにあたって、操作ケーブルのハウジングへの組み付け工数短縮を図り得るようにした小型車両用グリップ操作装置を提供することを目的とする。
【課題を解決するための手段】
【０００６】
上記目的を達成するために、本発明は、バー状の操向ハンドルに回動可能に嵌装されるグリップパイプの一端に巻き掛け部が設けられ、その巻き掛け部を覆うハウジングが前記操向ハンドルに固定され、前記巻き掛け部と被操作部間を連動させる一対の操作ケーブルが前記操向ハンドルの長手方向に指向して配索され、その各操作ケーブルは、前記ハウジングに一端部が支持されるアウターケーブルと、そのアウターケーブルに移動可能に挿通されるインナーケーブルとから構成され、その一対の操作ケーブルのインナーケーブルの一端部が、前記アウターケーブルの一端部から突出して前記巻き掛け部の外周にその周方向で互いに反対側から巻き掛けられる小型車両用グリップ操作装置において、前記ハウジングが、前記操向ハンドルを間に挟んで結合される第１ハウジング半体および第２ハウジング半体から構成され、前記第１ハウジング半体が、前記操向ハンドルの中心軸線に沿う方向で分離、結合可能な第１ハウジング構成部材および第２ハウジング構成部材から構成されて、その両ハウジング構成部材の合わせ面間に、その合わせ面を横切る方向に並列させた前記一対の操作ケーブルが介装され、前記第１ハウジング半体が、前記一対の操作ケーブルのアウターケーブルの各一端部を前記両ハウジング構成部材間に挟持するケーブル挟持部と、前記一対の操作ケーブルを前記操向ハンドルの長手方向に指向させるべく、前記合わせ面を前記操向ハンドルと交差する方向から前記操向ハンドルの軸線に沿う方向に湾曲させるようにして、前記ケーブル挟持部から外側方に延出するケーブルガイド部とを有しており、前記ケーブル挟持部には、前記一対の操作ケーブルの中間で前記第１，第２ハウジング構成部材を相互に締結して結合する結合部が配設されるとともに、前記ケーブルガイド部には、前記ケーブル挟持部とは反対側の端部において、前記一対の操作ケーブルの中間で前記第１，第２ハウジング構成部材を相互に係合して結合する結合部が配設されることを第１の特徴とする。
【０００７】
また本発明は、第１の特徴の構成に加えて、前記ケーブルガイド部の中間部に、第１，第２ハウジング構成部材を相互に凹凸嵌合せしめる嵌合部が配設されることを第２の特徴とする。
【０００８】
本発明は、第１または第２の特徴の構成に加えて、第１ハウジング半体を構成する第１，第２ハウジング構成部材の一方が、前記操向ハンドルを挟む少なくとも２箇所で第２ハウジング半体に結合されることを第３の特徴とする。
【０００９】
本発明は、第３の特徴の構成に加えて、第１，第２ハウジング構成部材の一方が、前記操向ハンドルの一側で第２ハウジング半体に締結されるとともに前記操向ハンドルの他側で第２ハウジング半体に係合されることを第４の特徴とする。
【００１０】
さらに本発明は、第３または第４の特徴の構成に加えて、第１，第２ハウジング構成部材のうち第２ハウジング半体に結合される側のハウジング構成部材に、前記操向ハンドルに対する位置決めを行うための位置決め部が設けられることを第５の特徴とする。
【００１１】
なお実施の形態のスロットルケーブル１９が本発明の操作ケーブルに対応する。
【発明の効果】
【００１２】
本発明の第１の特徴によれば、操向ハンドルに固定されるハウジングを第２ハウジング半体とともに構成する第１ハウジング半体は、操向ハンドルの中心軸線に沿う方向で分離、結合可能な第１ハウジング構成部材および第２ハウジング構成部材から構成されて、その両ハウジング構成部材の合わせ面間に、その合わせ面を横切る方向に並列させた前記一対の操作ケーブルが介装され、前記第１ハウジング半体が、前記一対の操作ケーブルのアウターケーブルの各一端部を前記両ハウジング構成部材間に挟持するケーブル挟持部と、前記一対の操作ケーブルを前記操向ハンドルの長手方向に指向させるべく、前記合わせ面を前記操向ハンドルと交差する方向から前記操向ハンドルの軸線に沿う方向に湾曲させるようにして、前記ケーブル挟持部から外側方に延出するケーブルガイド部とを有するので、従来のようなラウンドジョイトを不要としてハウジング自体で操作ケーブルを操向ハンドルの長手方向に指向させることができ、ラウンドジョイントをハウジングに組み付ける作業が不要となるので、組み付け工数の短縮を図ることができる。しかも一対の操作ケーブルを第１，第２ハウジング構成部材間に挟持するのでこれら一対の操作ケーブルのハウジングへの組付けが容易であり、これによっても組み付け工数の短縮化を図ることができる。
【００１３】
また、第１，第２ハウジング構成部材を相互に締結して結合する結合部がケーブル挟持部に配設され、ケーブルガイド部のケーブル挟持部とは反対側の端部で第１，第２ハウジング構成部材が相互に係合されるので、一対の操作ケーブルのアウターケーブルをケーブル挟持部で確実に挟持することができるとともに、アウターケーブルの反力によるケーブルガイド部の開きを抑えることができる。
【００１４】
しかも、第１，第２ハウジング構成部材が一対の操作ケーブルの中間で相互に結合されるので、両ハウジング構成部材の結合箇所を最小限に抑えつつ、一対の操作ケーブルを偏りなく挟持することが容易である。
【００１５】
本発明の第２の特徴によれば、ケーブルガイド部の中間部で第１，第２ハウジング構成部材が相互に凹凸嵌合するので、第１，第２ハウジング構成部材を相互に結合して第１ハウジング半体を組み立てる際に、両ハウジング構成部材を位置決めし、組立作業を容易とすることができる。
【００１６】
本発明の第３の特徴によれば、第１ハウジング半体を構成する第１，第２ハウジング構成部材の一方が少なくとも２箇所で第２ハウジング半体に結合されるので、第１ハウジング半体の第２ハウジング半体への結合箇所を両ハウジング構成部材に振り分ける場合に比べると、第１ハウジング半体の第２ハウジング半体への結合部の寸法精度を高めることができる。
【００１７】
本発明の第４の特徴によれば、一方のハウジング構成部材が、操向ハンドルの一側で第２ハウジング半体に締結されるとともに操向ハンドルの他側で第２ハウジング半体に係合されるので、第１ハウジング半体を第２ハウジング半体に２箇所で結合するにあたって、２箇所のうち１箇所を係合構造として締結箇所を少なくした結合が可能となる。しかも両ハウジング構成部材の一方を操向ハンドルに締結するとともに係合するので、締結箇所および係合箇所の寸法精度を高め、第１ハウジング半体を第２ハウジング半体に確実に結合することができる。
【００１８】
さらに本発明の第５の特徴によれば、第２ハウジング半体に結合される側のハウジング構成部材に設けられる位置決め部で操向ハンドルに対する位置決めを行うので、ハウジングの操向ハンドルへの固定作業が容易となる。
【図面の簡単な説明】
【００１９】
【図１】第１の実施の形態における自動二輪車用操向ハンドルの右端部付近の縦断面図であって図２の１−１線に沿う断面図である。
【図２】図１の２−２線に沿う断面図である。
【図３】図２の３−３線に沿う第１ハウジング半体の断面図である。
【図４】図２の４−４線断面図である。
【図５】図２の５矢視方向から見た第２ハウジングの拡大側面図である。
【図６】第１ハウジング半体の斜視図である。
【図７】第１ハウジング構成部材を第２ハウジング構成部材側から見た斜視図である。
【図８】スロットルケーブルを組み付けた状態での第１ハウジング構成部材の図７に対応した斜視図である。
【図９】スロットルケーブルを組み付けた状態での第１ハウジング構成部材を第２ハウジング構成部材側から見た正面図である。
【図１０】第２ハウジング構成部材を第１ハウジング構成部材側から見た正面図である。
【図１１】第２の実施の形態の図２に対応した断面図である。
【図１２】スロットルケーブルを組み付けた状態での第１ハウジング構成部材を第２ハウジング構成部材側から見た一部切欠き正面図である。
【発明を実施するための形態】
【００２０】
本発明の実施の形態について添付の図面を参照しながら説明する。
【００２１】
本発明の第１の実施の形態について図１〜図１０を参照しながら説明すると、先ず図１および図２において、小型車両である自動二輪車が備えるバー状の操向ハンドル１５の右端部には、グリップパイプ１６が回動可能に嵌装されており、スロットルグリップ１８に前記グリップパイプ１６が嵌合、固定される。しかも操向ハンドル１５の長手方向に沿う内方で前記グリップパイプ１６の一端に巻き掛け部１７が設けられており、前記スロットルグリップ１８の回動操作に応じて前記グリップパイプ１６が回動するのに応じた操作力が、２本の操作ケーブルであるスロットルケーブル１９，１９を介して被操作部であるスロットルバルブ（図示せず）に伝達される。
【００２２】
図３および図４を併せて参照して、前記スロットルケーブル１９は、アウターケーブル２０と、該アウターケーブル２０内に移動可能に挿通されるインナーケーブル２１とから成るものである。前記アウターケーブル２０の一端部には、該アウターケーブル２０の一端部を嵌入せしめるようにして有底円筒状に形成される端末金具２２が固定的に取付けられており、前記アウターケーブル２０の一端部から突出する前記インナーケーブル２１の一端部が前記端末金具２２の先端閉塞部を移動自在に貫通し、前記端末金具２２の先端部には前記インナーケーブル２１の外周を液密にシールするブーツ２３が装着される。
【００２３】
前記アウターケーブル２０の一端部は、前記巻き掛け部１７を覆って前記操向ハンドル１５に固定されるハウジング２４に支持され、そのアウターケーブル２０の一端部から突出したインナーケーブル２１の一端部が、前記巻き掛け部１７に巻き掛け、連結される。而して２本の前記スロットルケーブル１９，１９がそれぞれ備えるインナーケーブル２１…の一端部は、前記巻き掛け部１７の外周にその周方向に沿って相互に反対側から巻き掛けられる。
【００２４】
前記ハウジング２４は、第１ハウジング半体２５と、前記操向ハンドル１５を第１ハウジング半体２５との間に挟む合成樹脂製の第２ハウジング半体２６とが相互に結合されて成るものであり、第１ハウジング半体２５は、前記操向ハンドル１５の中心軸線に沿う方向で分離、結合可能な一対の合成樹脂から成る第１および第２ハウジング構成部材２７，２８が結合されて成る。
【００２５】
図５を併せて参照して、第２ハウジング半体２６は、前記操向ハンドル１５の半周を嵌合させる半円状の凹部２９を有する第１端壁部２６ａと、前記操向ハンドル１５に回動可能に嵌装された前記グリップパイプ１６の半周を嵌合させる半円状の凹部３０を有する第２端壁部２６ｂと、前記巻き掛け部１７の半周を覆うように形成されて第１および第２端壁部２６ａ，２６ｂ間を結ぶ円弧状の側壁部２６ｃとを一体に有するように形成される。しかも前記操向ハンドル１５の一側で第１端壁部２６ａから突出する取付け突部２６ｄが第２ハウジング半体２６に一体に設けられる。また前記操向ハンドル１５の他側で前記側壁部２６ｃには、第１および第２端壁部２６ａ，２６ｂに面一に連なる一対の支持突部２６ｅ，２６ｅが第１ハウジング半体２５側に延びるようにして一体に突設され、第１ハウジング半体２５側で前記両支持突部２６ｅ，２６ｅの先端部が係止部２６ｆで一体に連結されており、係止部２６ｆの内側面は外側方から見たときに、第２ハウジング半体２６の第１ハウジング半体２５への結合面と面一となる。しかも前記操向ハンドル１５の他側で前記側壁部２６ｃの第１ハウジング半体２５側の端部には第１ハウジング半体２５側に開放した前記両支持突部２６ｅ…間に配置されるようにして係止溝３１が設けられる。
【００２６】
図６を併せて参照して、第１ハウジング半体２５は、２本の前記アウターケーブル２０，２０の一端部を第１および第２ハウジング構成部材２７，２８間に挟持するケーブル挟持部２５ａと、第１，第２ハウジング構成部材２７，２８の合わせ面間に該合わせ面を横切る方向に並列させた２本の前記スロットルケーブル１９，１９を、前記操向ハンドル１５の長手方向に指向させるようにして、前記ケーブル挟持部２５ａから外側方に延出されるケーブルガイド部２５ｂとを有する。
【００２７】
前記ケーブル挟持部２５ａは、第１，第２ハウジング構成部材２７，２８の合わせ面が前記操向ハンドル１５の中心軸線に直交する平面にほぼ沿うようにして前記操向ハンドル１５からその半径方向外方に張り出すように形成され、前記ケーブルガイド部２５ｂは、２本の前記スロットルケーブル１９，１９を操向ハンドル１５の長手方向に指向させるべく、両ハウジング構成部材２７，２８の合わせ面を操向ハンドル１５と交差する方向から操向ハンドル１５の軸線に平行な方向に湾曲させるようにして、前記ケーブル挟持部２５ａの外端から湾曲して前記操向ハンドル１５の軸線に沿う方向に延びるように形成される。
【００２８】
図７〜図９を併せて参照して、第１ハウジング構成部材２７は、第２ハウジング半体２６の第１端壁部２６ａとの間に操向ハンドル１５を挟むものであり、ケーブル挟持部２５ａに対応する部分で第１ハウジング構成部材２７の操向ハンドル１５側の部分には、第２ハウジング半体２６の凹部２９と協働して操向ハンドル１５を挟む半円状の凹部３２が設けられる。
【００２９】
また第２ハウジング半体２６の取付け突部２６ｄに当接する取付け突部２７ａと、第２ハウジング半体２６の係止溝３１から外方に突出してれ係止部２６ｆに係合する係合突部２７ｂとが、第２ハウジング半体２６側の端部で第１ハウジング構成部材２７に一体に設けられており、係止部２７ａに係合突部２７ｂを係合させた状態で相互に当接される前記取付け突部２６ａ，２７ａが、取付け突部２７ａにインサート結合されているナット３４（図２参照）にボルト３３を螺合して締めつけることによって締結される。
【００３０】
すなわち第１ハウジング半体２５を構成する第１および第２ハウジング構成部材２７，２８の一方である第１ハウジング構成部材２７が、前記操向ハンドル１５を挟む少なくとも２箇所（この実施の形態では２箇所）で第２ハウジング半体２６に結合されるものであり、前記操向ハンドル１５の一側で第２ハウジング半体２６にボルト３３およびナット３４で締結されるとともに前記操向ハンドル１５の他側で第２ハウジング半体２６に係合されることになる。
【００３１】
また第１ハウジング構成部材２７には前記操向ハンドル１５に対する位置決めを行うための位置決め部３５が設けられるものであり、この位置決め部３５は、前記操向ハンドル１５に設けられる位置決め孔３６に嵌合する位置決めピン３７が前記凹部３２から突出するように第１ハウジング構成部材２７に植設されて成る。
【００３２】
ケーブル挟持部２５ａに対応する部分で第１ハウジング構成部材２７の略中央部には、第２ハウジング構成部材２８側に突出する円筒状のボス部４０が一体に設けられており、このボス部４０内にはナット４１がインサート結合される。また前記ボス部４０の両側で第１ハウジング構成部材２７の内面には、ボス部４０の両側に配置されるスロットルケーブル１９，１９におけるアウターケーブル２０，２０の一端部に嵌合される端末金具２２，２２の略半周を嵌合させる嵌合凹部４２，４２が設けられるとともに、それらの嵌合凹部４２…をそれぞれ横断して一直線状に延びる位置決め凹部４３，４３が設けられる。
【００３３】
一方、前記端末金具２２…の外周の長手方向に間隔をあけた複数箇所たとえば２箇所には、全周にわたる環状凹部４４，４４…が設けられており、略Ｕ字状の位置決めプレート４５…がそれらの環状凹部４４，４４…の一方に嵌合するようにして前記端末金具２２…に取付けられ、位置決めプレート４５…を位置決め凹部４３…に嵌合することで、ハウジング２４内でのアウターケーブル２０…の長手方向位置が定まることになる。
【００３４】
また第１ハウジング構成部材２７の内面には、前記嵌合凹部４２…の両側で対をなす保持突部４６，４６…が、対をなす保持突部４６，４６間の間隔を前記嵌合凹部４２…の幅よりも小くするようにして一体に突設されており、嵌合凹部４２の両側の保持突部４６，４６をそれらの保持突部４６，４６間の間隔が広がるように撓ませつつ前記端末金具２２を嵌合凹部４２に嵌合することで、保持突部４６，４６が嵌合凹部４２に嵌合した前記端末金具２２に弾発的に係合して端末金具２２の嵌合凹部４２への嵌合状態が保持されることになる。
【００３５】
さらにケーブルガイド部２５ｂに対応する部分で第１ハウジング構成部材２７の内面には、前記嵌合凹部４２，４２に連なる一対のガイド凹部４７，４７が、前記スロットルケーブル１９，１９におけるアウターケーブル２０，２０の半周を嵌合せしめるようにして設けられる。
【００３６】
図１０において、第２ハウジング構成部材２８は、第２ハウジング半体２６の第２端壁部２６ｂとの間にグリップパイプ１６を挟むものであり、ケーブル挟持部２５ａに対応する部分で第２ハウジング構成部材２８のグリップパイプ１６側の部分には、第２ハウジング半体２６の凹部３０と協働してグリップパイプ１６を挟む半円状の凹部４８が設けられる。
【００３７】
ケーブル挟持部２５ａに対応する部分で第２ハウジング構成部材２８の略中央部には、第１ハウジング構成部材２７の前記ボス部４０に当接する当接突部４９が一体に設けられており、この当接突部４９の中央部に穿設された挿通孔５０に挿通されるねじ部材５１を前記ボス部４０のナット４１に螺合して締めつけることにより、第１および第２ハウジング構成部材２７，２８が前記ケーブル挟持部２５ａに対応する部分で相互に締結して結合されることになる。すなわち前記ナット４１がインサート結合されるボス部４０と、前記ねじ部材５１を挿通せしめる当接突部４９とで、第１および第２ハウジング構成部材２７，２８を相互に締結して結合するようにして前記ケーブル挟持部２５ａに配置される結合部５２が構成される。
【００３８】
またケーブル挟持部２５ａに対応する部分で第２ハウジング構成部材２８には、第１ハウジング構成部材２７の嵌合凹部４２，４２に半周を嵌合せしめた端末金具２２，２２の残余の半周に当接するリブ５３，５４，５５；５３，５４，５５が一体に突設されており、リブ５３，５４は、端末金具２２に取付けられた位置決めプレート４５を相互間に挟むように対をなして配置され、リブ５５は、ケーブル挟持部２５ａのケーブルガイド部２５ｂ寄りの部分に配置される。
【００３９】
またケーブルガイド部２５ｂに対応する部分で第２ハウジング構成部材２８の内面には、第１ハウジング構成部材２７のガイド凹部４７…に半周を嵌合せしめたアウターケーブル２０…の残余の半周を嵌合せしめるガイド凹部５６，５６が、第１ハウジング構成部材２７のガイド凹部４７…に対応して設けられる。
【００４０】
前記ケーブルガイド部２５ｂの前記ケーブル挟持部２５ａとは反対側の端部に、第１および第２ハウジング構成部材２７，２８を相互に係合して結合する結合部５７が配設されるものであり、この結合部５７は、前記ケーブルガイド部２５ｂの前記ケーブル挟持部２５ａとは反対側の端部で第２ハウジング構成部材２８に設けられた係合孔５８と、前記ケーブルガイド部２５ｂの前記ケーブル挟持部２５ａとは反対側の端部で第１ハウジング構成部材２７に設けられて前記係合孔５８に弾発的に係合する係合爪５９とから成る。
【００４１】
ところで第１および第２ハウジング構成部材２７，２８を相互に締結して結合するようにして前記ケーブル挟持部２５ａに配置される結合部５２と、第１および第２ハウジング構成部材２７，２８を相互に係合して結合する結合部５７とは、２本のスロットルケーブル１９…が個別に有するアウターケーブル２０…間に配置される。すなわち第１ハウジング半体２５を構成する第１および第２ハウジング構成部材２７，２８は、２本のアウターケーブル２０…間で相互に結合されることになる。
【００４２】
また前記ケーブルガイド部２５ｂの中間部には、第１および第２ハウジング構成部材２７，２８を相互に凹凸嵌合せしめる嵌合部６０が配設されるものであり、この実施の形態では、第１ハウジング構成部材２７の内面に突設された嵌合突部６１と、その嵌合突部６１を嵌合せしめるようにして第２ハウジング構成部材２８の内面に設けられる嵌合凹部６２とで前記嵌合部６０が構成され、この嵌合部６０も、前記結合部５２，５７と同様に、２本のアウターケーブル２０…間に配置される。
【００４３】
次にこの第１の実施の形態に作用について説明すると、バー状の操向ハンドル１５に固定されるハウジング２４が、操向ハンドル１５を間に挟んで結合される第１ハウジング半体２５および第２ハウジング半体２６から構成され、第１ハウジング半体２５が、操向ハンドル１５の中心軸線に沿う方向で分離、結合可能な第１ハウジング構成部材２７および第２ハウジング構成部材２８から構成されて、その両ハウジング構成部材２７，２８の合わせ面間に、その合わせ面を横切る方向に並列させた一対のスロットルケーブル１９，１９が介装され、第１ハウジング半体２５が、前記一対のスロットルケーブル１９，１９のアウターケーブル２０…の各一端部を両ハウジング構成部材２７，２８間に挟持するケーブル挟持部２５ａと、前記一対のスロットルケーブル１９，１９を操向ハンドル１５の長手方向に指向させるべく、前記合わせ面を操向ハンドル１５と交差する方向から操向ハンドル１５の軸線に沿う方向に湾曲させるようにして、ケーブル挟持部２５ａから外側方に延出するケーブルガイド部２５ｂとを有するので、従来のようなラウンドジョイトを不要としてハウジング２４自体で一対のスロットルケーブル１９，１９を操向ハンドル１５の長手方向に指向させることができ、ラウンドジョイントをハウジング２４に組み付ける作業が不要となるので、組み付け工数の短縮を図ることができる。しかも一対のスロットルケーブル１９，１９を第１および第２ハウジング構成部材２７，２８間に挟持するので該スロットルケーブル１９，１９のハウジング２４への組付けが容易であり、これによっても組み付け工数の短縮化を図ることができる。
【００４４】
またハウジング２４における第１ハウジング半体２５のケーブル挟持部２５ａに、第１および第２ハウジング構成部材２７，２８を相互に締結して結合する結合部５２が配設されるので、アウターケーブル２０…をケーブル挟持部２５ａで確実に挟持することができる。
【００４５】
またケーブルガイド部２５ｂのケーブル挟持部２５ａとは反対側の端部に、第１および第２ハウジング構成部材２７，２８を相互に係合して結合する結合部５７が配設されるので、アウターケーブル２０…の反力によるケーブルガイド部２５ｂの開きを抑えることができる。
【００４６】
またケーブルガイド部２５ｂの中間部に、第１および第２ハウジング構成部材２７，２８を相互に凹凸嵌合せしめる嵌合部６０が配設されるので、第１および第２ハウジング構成部材２７，２８を相互に結合して第１ハウジング半体２５を組み立てる際に、両ハウジング構成部材２７，２８を位置決めし、組立作業を容易とすることができる。
【００４７】
また第１および第２ハウジング構成部材２７，２８が一対のスロットルケーブル１９，１９の中間で相互に結合されるので、両ハウジング構成部材２７，２８の結合箇所を最小限に抑えつつ、２本のアウターケーブル２０…を偏りなく挟持することが容易である。
【００４８】
また第１ハウジング半体２５を構成する第１および第２ハウジング構成部材２７，２８の一方である第１ハウジング構成部材２７が、操向ハンドル１５を挟む少なくとも２箇所で第２ハウジング半体２６に結合されるので、第１ハウジング半体２５の第２ハウジング半体２６への結合箇所を両ハウジング構成部材２７，２８に振り分ける場合に比べると、第１ハウジング半体２５の第２ハウジング半体２６への結合部の寸法精度を高めることができる。
【００４９】
また第１および第２ハウジング構成部材２７，２８の一方である第１ハウジング構成部材２７が、操向ハンドル１５の一側で第２ハウジング半体２６に締結されるとともに前記操向ハンドル１５の他側で第２ハウジング半体２６に係合されるので、第１ハウジング半体２５を第２ハウジング半体２６に２箇所で結合するにあたって、２箇所のうち１箇所を係合構造として締結箇所を少なくした結合が可能となる。しかも両ハウジング構成部材２７，２８の一方である第１ハウジング構成部材２７を操向ハンドル１５に締結するとともに係合するので、締結箇所および係合箇所の寸法精度を高め、第１ハウジング半体２５を第２ハウジング半体２６に確実に結合することができる。
【００５０】
さらに第１および第２ハウジング構成部材２７，２８のうち第２ハウジング半体２６に結合される側のハウジング構成部材である第１ハウジング構成部材２７に、操向ハンドル１５に対する位置決めを行うための位置決め部３５が設けられるので、ハウジング２４の操向ハンドル１５への固定作業が容易となる。
【００５１】
本発明の第２の実施の形態について図１１および図１２を参照しながら説明するが、上記第１の実施の形態に対応する部分には同一の参照符号を付して図示するのみとし、詳細な説明は省略する。
【００５２】
先ず図１１において、操向ハンドル１５に固定されるハウジング６４は、第１ハウジング半体６５と、前記操向ハンドル１５を第１ハウジング半体６５との間に挟む合成樹脂製の第２ハウジング半体６６とが相互に結合されて成るものであり、第１ハウジング半体６５は、前記操向ハンドル１５の中心軸線に沿う方向で分離、結合可能な一対の合成樹脂から成る第１および第２ハウジング構成部材６７，６８が結合されて成り、第１および第２ハウジング半体６５，６６は、第１の実施の形態と同様に結合される。
【００５３】
前記ハウジング６４には、一対のスロットルケーブル１９，１９におけるアウターケーブル２０，２０の一端部が支持され、第１ハウジング半体６５は、２本の前記アウターケーブル２０…の一端部を第１および第２ハウジング構成部材６７，６８間に挟持するケーブル挟持部６５ａと、第１および第２ハウジング構成部材６７，６８の合わせ面間に該合わせ面を横切る方向に並列させた２本の前記スロットルケーブル１９，１９を、前記操向ハンドル１５の長手方向に指向させるようにして、前記ケーブル挟持部６５ａから外側方に延出されるケーブルガイド部６５ｂとを有する。
【００５４】
前記ケーブル挟持部６５ａは、第１，第２ハウジング構成部材６７，６８の合わせ面が前記操向ハンドル１５の中心軸線に直交する平面にほぼ沿うようにして前記操向ハンドル１５からその半径方向外方に張り出すように形成され、前記ケーブルガイド部６５ｂは、２本の前記スロットルケーブル１９，１９を操向ハンドル１５の長手方向に指向させるべく、両ハウジング構成部材６７，６８の合わせ面を操向ハンドル１５と交差する方向から操向ハンドル１５の軸線に平行な方向に湾曲させるようにして、前記ケーブル挟持部６５ａの外端から湾曲して前記操向ハンドル１５の軸線に沿う方向に延びるように形成される。
【００５５】
第１および第２ハウジング構成部材６７，６８は、第１の実施の形態と同様に、前記両アウターケーブル２０…間で結合されるのであるが、両アウターケーブル２０…の外側で第１ハウジング構成部材６７の両側には一対の突条６９，６９が突設されており、それらの突条６９…を嵌合せしめる溝７０，７０が、両アウターケーブル２０…の外側で第２ハウジング構成部材６８の両側に設けられる。すなわち相互に結合された第１および第２ハウジング構成部材６７，６８間で前記アウターケーブル２０…の外側には、前記突条６９…および前記溝７０…で構成されるラビリンス構造が配設されることになり、そのラビリンス構造によって第１および第２ハウジング構成部材６７，６８間への水の浸入が抑制される。
【００５６】
図１２において、ケーブル挟持部６５ａに対応する部分で第１ハウジング構成部材６７の略中央部には、第２ハウジング構成部材６８側に突出する円筒状のボス部４０が一体に設けられており、このボス部４０の両側で第１ハウジング構成部材６７の内面には、ボス部４０の両側に配置されるスロットルケーブル１９，１９におけるアウターケーブル２０，２０の一端部に嵌合される端末金具７２，７２の略半周を嵌合させる嵌合凹部４２，４２が設けられるとともに、それらの嵌合凹部４２…をそれぞれ横断して一直線状に延びる位置決め凹部４３，４３が設けられる。
【００５７】
前記端末金具７２…は、その長手方向に間隔をあけた複数箇所たとえば２箇所で外側方に張り出す鍔部７３，７３を有しており、それらの鍔部７３…のうち選択された鍔部７３を位置決め凹部４３…に嵌合することで、ハウジング６４内でのアウターケーブル２０…の長手方向位置が定まることになる。
【００５８】
この第２の実施の形態によっても上記第１の実施の形態と同様の効果を奏することがでる。
【００５９】
以上、本発明の実施の形態について説明したが、本発明は上記実施の形態に限定されるものではなく、特許請求の範囲に記載された本発明を逸脱することなく種々の設計変更を行うことが可能である。
【００６０】
たとえば上記実施の形態では、小型車両である自動二輪車に本発明を適用した場合について説明したが、本発明は、自動二輪車や自動三輪車等の小型車両に関連して広く実施することができる。
【００６１】
また上記実施の形態では、スロットルケーブルを操作ケーブルとした場合について説明したが、本発明は、被操作部に連結される操作ケーブルをグリップの回動によって操作するようにしたものについて広く実施可能である。
【符号の説明】
【００６２】
１５・・・操向ハンドル
１６・・・グリップパイプ
１７・・・巻き掛け部
１９・・・操作ケーブルであるスロットルケーブル
２０・・・アウターケーブル
２１・・・インナーケーブル
２４，６４・・・ハウジング
２５，６５・・・第１ハウジング半体
２５ａ，６５ａ・・・ケーブル挟持部
２５ｂ，６５ｂ・・・ケーブルガイド部
２６，６６・・・第２ハウジング半体
２７，２８，６７，６８・・・ハウジング構成部材
３５・・・位置決め部
５２，５７・・・結合部
６０・・・嵌合部
【図１】
0005722135.tif 000002
【図２】
0005722135.tif 000003
【図３】
0005722135.tif 000004
【図４】
0005722135.tif 000005
【図５】
0005722135.tif 000006
【図６】
0005722135.tif 000007
【図７】
0005722135.tif 000008
【図８】
0005722135.tif 000009
【図９】
0005722135.tif 000010
【図１０】
0005722135.tif 000011
【図１１】
0005722135.tif 000012
【図１２】
0005722135.tif 000013